(57)【要約】      （修正有）【課題】簡易かつ手軽な骨盤矯正具を提供する。【解決手段】本骨盤矯正具としての手のひらバンド対２は、第一バンド部４及び第二バンド部６を備えている。この第一バンド部４及び第二バンド部６は、伸縮可能な弾性帯体からなる。この第一バンド部４は、手の甲で小指の付け根の関節の位置Ｐ１と親指の付け根の関節の位置Ｐ５とに当てられて、窄められた手を締め付けるように構成されている。この第二バンド部６は、手の甲で小指の中手骨の付け根の部位Ｐ６と親指の中手骨の付け根の部位Ｐ１０とに当てられて、窄められた手を締め付けるように構成されている。【選択図】図２
0003162952.tif 000002
【実用新案登録請求の範囲】
【請求項１】
第一バンド部及び第二バンド部を備えており、
この第一バンド部及び第二バンド部が伸縮可能な弾性帯体からなり、
この第一バンド部が、手の甲で小指の付け根の関節の位置と親指の付け根の関節の位置とに当てられて、窄められた手を締め付けるように構成されており、
この第二バンド部が、手の甲で小指の中手骨の付け根の部位と親指の中手骨の付け根の部位とに当てられて、窄められた手を締め付けるように構成されいる手のひらバンド。
【請求項２】
第一バンド及び第二バンドのバンド対からなり、
第一バンドが上記第一バンド部であり、第二バンドが上記第二バンド部である請求項１に記載の手のひらバンド。
【請求項３】
一方と他方とが互いに着脱可能にされている着脱部材を備えており、
上記弾性帯体の形状が一本の帯状であり、
この着脱部材の一方が上記弾性帯体の長手方向の一端部に取り付けられており、この着脱部材の他方が上記弾性帯体の長手方向の他端部に取り付けられており、
この弾性帯体の中央から一端部までが上記第一バンド部であり、中央から他端部までが上記第二バンド部である請求項１に記載の手のひらバンド。
【考案の詳細な説明】
【技術分野】
【０００１】
本考案は、人の手にされるバンドに関する。
【背景技術】
【０００２】
骨盤の傾きや歪みが腰痛など種々の病気を引き起こすことが明らかになってきている。この骨盤の傾きや歪みを矯正するために、種々の矯正具が使用されている。例えば、特開２００２−２６３１２７号公報には、骨盤矯正ベルトが開示されている。この骨盤矯正ベルトは、腰に巻かれる。この骨盤矯正ベルトが骨盤及び股関節を締め付ける。これにより、骨盤の矯正がされる。
【先行技術文献】
【特許文献】
【０００３】
【特許文献１】特開２００２−２６３１２７号公報
【考案の概要】
【考案が解決しようとする課題】
【０００４】
この骨盤矯正ベルトは腰に巻かれるので、着脱に手間がかかる。また、骨盤矯正には、このベルトに強い締め付け力が必要とされる。この強い締め付け力は使用者の腰全体に圧迫感を与える。装着した状態では、使用者の動作の妨げになることもある。更には、使用者の動作により装着位置がずれてしまうこともある。位置ずれが生じると、骨盤矯正ベルトを適正な位置に戻す手間が生じる。
【０００５】
本考案の目的は、簡易かつ手軽な骨盤矯正具の提供にある。
【課題を解決するための手段】
【０００６】
この骨盤矯正具が本考案に係る手のひらバンドである。この手のひらバンドは、第一バンド部及び第二バンド部を備えている。この第一バンド部及び第二バンド部は、伸縮可能な弾性帯体からなる。この第一バンド部は、手の甲で小指の付け根の関節の位置と親指の付け根の関節の位置とに当てられて、窄められた手を締め付けるように構成されている。この第二バンド部は、手の甲で小指の中手骨の付け根の部位と、親指の中手骨の付け根の部位とに当てられて、窄められた手を締め付けるように構成されいる。
【０００７】
好ましくは、この手のひらバンドは、第一バンド及び第二バンドのバンド対からなっている。第一バンドは上記第一バンド部である。第二バンドは上記第二バンド部である。
【０００８】
好ましくは、この手のひらバンドは、一方と他方とが互いに着脱可能にされた着脱部材を備えている。上記弾性帯体の形状が一本の帯状であり、この着脱部材の一方は、この弾性帯体の長手方向の一端部に取り付けられている。この着脱部材の他方は、上記弾性帯体の長手方向の他端部に取り付けられている。この弾性帯体の中央から一端部までは、上記第一バンド部である。中央から他端部までは、上記第二バンド部である。
【考案の効果】
【０００９】
手のひらには身体の各部に相応関係を有する部位が存在している。この第一バンド部は、股関節に相応関係のある手の部位を圧迫している。この第二バンド部は、骨盤に相応関係がある手の部位を圧迫している。本考案に係る手のひらバンドでは、手に装着することで骨盤矯正がされ得る。この手のひらバンドを用いることで、骨盤矯正が簡易且つ手軽にされ得る。
【図面の簡単な説明】
【００１０】
【図１】図１は、本考案の一実施形態に係るバンド対が示された斜視図である。
【図２】図２は、図１のバンド対の使用状態の正面が示された説明図である。
【図３】図３（ａ）は図１のバンド対の使用状態の背面が示された説明図であり、図３（ｂ）は図１の手のひらバンドの使用状態の側面が示された説明図である。
【図４】図４は、本考案の他の実施形態に係るバンドが示された正面図である。
【図５】図５（ａ）は図４のバンドの使用状態の背面が示された説明図であり、図５（ｂ）は図４のバンドの他の使用状態の背面が示された説明図である。
【図６】図６（ａ）は本考案の更に他の実施形態に係るバンドの使用状態の正面が示された説明図であり、図６（ｂ）はその使用状態の背面が示された説明図である。
【考案を実施するための形態】
【００１１】
以下、適宜図面が参照されつつ、好ましい実施形態に基づいて本考案が詳細に説明される。
【００１２】
図１には、手のひらバンドとしてのバンド対２が示されている。このバンド対２は、第一バンド部としての第一バンド４と、第二バンド部としての第二バンド６とからなっている。
【００１３】
この第一バンド４は、本体８が環状にされている。この本体８の形状は、平たい帯状である。図１の両矢印Ｗ１は、この本体８の巾を示している。両矢印Ｔ１は、この厚みを示している。この本体８は、例えば、平ゴムである。この平ゴムは、ゴム紐からなる。この本体８は、その長手方向に伸縮する弾性材料であればよい。この本体８は繋ぎ目のない一の環状である。本体８が、長手方向一端部と他端部とを縫い合わせて環状とされたものであってもよい。
【００１４】
この第二バンド６は、平たい帯状の本体１０が環状にされている。第二バンド６は、第一バンド４と同様の形状であり、同様の材質からなる。図１の両矢印Ｗ２は、この本体１０の巾を示している。両矢印Ｔ２は、この厚みを示している。このバンド対２では、巾Ｗ２は巾Ｗ１と同じにされている。厚みＴ２は厚みＴ１と同じにされている。第二バンド６の環状の周方向長さは、第一バンド４のそれと同じにされている。巾Ｗ２は巾Ｗ１と異なってもよいし、厚みＴ２は厚みＴ１と異なってもよい。第二バンド６の環状の周方向長さは、第一バンド４のそれより、短くされてもよい。
【００１５】
図２の一点鎖線は、窄められた右手を示している。図２は、右手の甲側を示している。点Ｐ１は、小指の付け根の関節の位置を示している。この点Ｐ１は、小指の基節骨と中手骨との関節の位置、即ち、小指の中手指節関節の位置を示している。同様に、点Ｐ２は薬指の付け根の関節の位置を、点Ｐ３は中指の付け根の関節の位置を、点Ｐ４は人差し指の付け根の関節の位置を、それぞれ示している。点Ｐ５は、親指の付け根の関節に位置を示している。この点Ｐ５は、親指の基節骨と中手骨との関節の位置を示している。
【００１６】
図２の点Ｐ６は、小指の中手骨と手根骨との間の位置を示している。同様に、点Ｐ７は薬指の中手骨と手根骨との間の位置を、点Ｐ８は中指の中手骨と手根骨との間の位置を、点Ｐ９は人差し指の中手骨と手根骨との間の位置を、それぞれ示している。点Ｐ１０は、親指の中手骨と手根骨との間の位置を示している。
【００１７】
図３（ａ）は、図２の手のひら側を示している。図３（ｂ）は、図２の手の親指及び人差し指側を示している。この第一バンド４は伸長されて、張力が発生している。図２に示されるように、この第一バンド４は、手の甲側で、小指の付け根の関節の点Ｐ１と親指の付け根の関節の点Ｐ５との位置に当てられて手を窄める向きに圧迫している。言い換えると、小指の基節骨と中手骨とに渡って当てられ、親指の基節骨と中手骨とに渡って当てられている。小指の付け根の関節と親指の付け根の関節とを手のひら側で近づける向きに、第一バンド４の張力が作用している。このようにして、この第一バンド４は、窄められた手を締め付けている。
【００１８】
ここでは、第一バンド４は、薬指の付け根の関節の位置の点Ｐ２と、中指の付け根の関節の位置の点Ｐ３と、人差し指の付け根の関節の位置の点Ｐ４とにも、それぞれ当てられている。言い換えると、各指の基節骨と中手骨とに渡って当てられている。第一バンド４は、薬指の付け根の関節と、中指の付け根の関節と、人差し指の付け根の関節とを手を窄める向きに圧迫している。
【００１９】
図２の２点鎖線Ｌ１は、手首の関節の位置を示している。第二バンド６が右手にはめられている。この第二バンド６は、手の甲側で、点Ｐ６と点Ｐ１０との位置に当てられて手を窄める向きに圧迫している。この第二バンド６は、手の甲で、小指の中手骨の付け根の部位と親指の中手骨の付け根の部位とに当てられている。言い換えると、この第二バンド６は、手根骨と小指の中手骨及び親指の中手骨とに渡って当てられている。第二バンド６は伸長されて、張力が発生している。第二バンド６は、手を窄める向きに圧迫している。第二バンド６は、手の甲から手のひらの向きに圧迫している。このようにして、この第二バンド６が、窄められた手を締め付けている。ここでは、薬指の中手骨の付け根の部位と中指の中手骨の付け根の部位と人差し指の中手骨の付け根の部位とにも当てられている。
【００２０】
巾が大きいバンドは、手の所定の位置に容易に当てられる。この観点から、この巾Ｗ１及び巾Ｗ２は１５ｍｍ以上が好ましく、２０ｍｍ以上が更に好ましい。更には、第一バンド４の巾と第二バンド６の巾とを広げて、第一バンド４と第二バンド６とを巾方向に連続した一体のバンドとされてもよい。
【００２１】
一方で、巾が小さいバンドは、より局部的に圧迫し得る。局所的に圧迫し得るバンドは、他の部位、例えば五本指に巻き付けて、他の身体各部の矯正にも使用し易い。この観点から、巾Ｗ１及び巾Ｗ２は５０ｍｍ以下が好ましく、４０ｍｍ以下が更に好ましい。また、このバンドの厚みＴ１及びＴ２は、一般的なゴム紐や伸縮包帯の厚みであり、一般的に０．５ｍｍ以上２．５ｍｍ以下である。
【００２２】
骨盤は、仙骨、座骨、腸骨及び恥骨で構成されている。骨盤の歪みは、仙骨と腸骨との接合部である仙腸関節の緩みにより生じると考えられる。この骨盤の歪みは、悪い姿勢、運動不足による足腰の筋肉と腹筋との衰え等で骨盤が正しい位置を保てなくなることで生じる。また、スポーツ選手などでは、偏った筋肉の増強により筋力のバランスを崩し骨盤に歪みが生じることがある。これらの骨盤の歪みは、腰痛などの原因になっている。股関節は、骨盤と大腿骨との接合部である。骨盤が歪むと、この股関節にも悪影響が生じる。
【００２３】
大韓民国の鍼灸師、柳泰佑氏が１９７０年に手と脳と身体との相関関係を発見している。近年の画像診断装置の発達により検証実験が繰り返され、この相関関係に関する学説が科学的に証明されてきている。手のひらには身体の各部に相応関係を有する部位が存在する。この相応関係とは、手のひらを身体の縮小版と見立てたときに、身体の各部とこの各部に該当する手の部位との関係をいう。この相応関係を有する部位が刺激されることで身体の各部が治療され得る。
【００２４】
この学説に基づき考案者が種々の試行をして、このバンド対２は考案された。人の股関節は、小指の付け根の関節の位置に相応関係があると考えられる。また、骨盤は、小指の中手骨の付け根と親指の中手骨の付け根とを通る部分に相応関係があると考えられる。この第一バンド４は、股関節に相応関係のある手の部分を圧迫している。この第二バンド６は、骨盤に相応関係がある手の部分を圧迫している。これにより、仙腸関節の緩みが矯正され、骨盤及び股関節の歪みが矯正されることを見出した。
【００２５】
このバンド対２は手にされるので、使用者の姿勢に関係なく、骨盤矯正をし得る。また、衣服を着脱する必要もない。このバンド対２は、手に簡単に着脱され得る。このバンド対２は、何処でも簡易かつ手軽に使用され得る。また、手に装着するだけなので、医療過誤の危険も抑制される。更に、腰部を負傷して骨盤矯正ベルトが装着し得ない状態でも、バンド対２は装着し得る。
【００２６】
ここでは、バンド対２が右手にされた状態を例示して説明がされた。このバンド対２は左手にも同様にされる。このバンド対２が左右両手にされることにより、より高い効果が達成され得る。
【００２７】
同じ第一バンド４が左右の手にされ得る。同じ第二バンド６が左右の手にされ得る。このバンド対２では、左右の手を同様に圧迫し得る。バンド対２は、左右の手をバランスよく、均等に締め付けることが出来る。このバンド対２は、簡素な構造であり、容易に製造できる。
【００２８】
図４は、本発明の他の実施形態に係る手のひらバンドとしてのバンド１２が示されている。ここでは、主に、バンド対２と異なる構成について説明がされる。バンド対２と同様の構成及び効果については、その説明が省略される。このバンド１２は、弾性帯体としての本体１４と、着脱部材としての面ファスナー１６とを備えている。この面ファスナー１６は、着脱部材の一方としてのフックテープ１８と他方としてのループテープ２０とを備えている。
【００２９】
本体１４の形状は、帯状である。図４の両矢印Ｗ３は、本体１４の巾を示している。本体１４の長手方向の長さは、窄められた手に二周巻きされ得る長さである。本体１４は、長手方向に伸縮し得る。本体１４は、例えば、伸縮包帯からなる。前述の平ゴムからなってもよい。
【００３０】
フックテープ１８は、本体１４の長手方向一端部の正面に取り付けられている。図４の両矢印Ｌ２は、このフックテープ１８の、本体１４の長手方向の長さを示している。この長さＬ２が、比較的に大きくされている。ループテープ２０は、本体１４の長手方向他端部の背面（正面の反対面）に取り付けられている。このフックテープ１８とループテープ２０とは、互いに着脱可能に接着され得る。
【００３１】
この本体１４は、その長手方向中央から一端部までの第一バンド部２２と、長手方向中央から他端部までの第二バンド部２４とを備えている。
【００３２】
図５には、このバンド１２の使用状態が示されている。図５（ａ）では、第一バンド部２２が、小指の付け根の関節と親指の付け根の関節との位置に当てられて手を窄める向きに巻かれている。図５（ｂ）では、更に、第二バンド部２４が、小指の中手骨の付け根の部位と親指の中手骨の付け根の部位とに当てられて手を窄める向きに巻かれている。フックテープ１８とループテープ２０とが接着されている。
【００３３】
この本体１４は、伸長されながら手に巻かれている。この本体１４には、縮む向きの張力が作用している。これにより、第一バンド部２２及び第二バンド部２４は、手を窄める向きに締め付けて圧迫している。
【００３４】
このフックテープ１８の長さＬ２は、本体１４の長手方向に長い。このため、ループテープ２０の接着位置を本体１４の長手方向に調整し得る。これにより、手の大きさに合わせて、本体１４の張力を調整し得る。この観点から、この長さＬ２は５０ｍｍ以上が好ましく、７０ｍｍ以上が更に好ましい。
【００３５】
このバンド１２と逆に、第一バンド部２２にループテープ２０が取り付けられ、第二バンド部２４にフックテープ１８が取り付けらてもよい。この着脱装置としては、面ファスナー１６に代えて、フックとフック止め金具が用いられてもよい。
【００３６】
図６は、本発明の更に他の実施形態に係る手のひらバンドとしてのバンド２６が示されている。ここでは、主に、バンド１２と異なる構成について説明がされる。バンド１２と同様の構成及び効果については、その説明が省略される。このバンド２６は、弾性帯体としての本体２８と、着脱部材としての面ファスナーとを備えている。この面ファスナーにより、本体２８の一方端部３０と他方端部３２とが着脱可能にされている。
【００３７】
この本体２８は、その巾方向（指先から手首に向かう方向）の一方の側部の第一バンド部３４と、巾方向の他方の側部の第二バンド部３６とを備えている。このバンド２６では、この第一バンド部３４が、小指の付け根の関節と親指の付け根の関節との位置に当てられて手を窄める向きに締め付けている。第二バンド部３６が、小指の中手骨の付け根の部位と親指の中手骨の付け根の部位とに当てられて手を窄める向きに締め付けている。
【実施例】
【００３８】
以下、実施例によって本考案の効果が明らかにされるが、この実施例の記載に基づいて本考案が限定的に解釈されるべきではない。
【００３９】
［実験１］
図１のバンド対が用意された。１５人の被験者について、バランス及び柔軟性の測定がされた。被験者は、３９歳から６２歳までの男性６人と３６歳から６６歳までの女性９人とであった。被験者が通常の状態（左右両手に何もしない状態）と、左右両手に図１のバンド対を装着した後の状態とで、この測定がされた。ここで、装着した後の状態とは、被験者が、このバンド対を１０分間装着して取り外した状態をいう。
【００４０】
１５人の被験者について、「片足立ち」、「股関節内旋回」及び「股関節外旋回」が確認された。この「片足立ち」では、被験者が目を閉じて片足立ちをし、その身体のぐらつきが確認された。「股関節内旋回」では、仰向けに寝た状態で、股関節の可動域が確認された。股関節の可動域は、外側から内側に旋回させて確認された。「股関節外旋回」として、内側から外側に旋回させて「股関節内旋回」と同様に確認された。表１には、その結果が示されている。この「改善率」は、被験者１５人に対する「改善人数」の比率である。
【００４１】
【表１】
0003162952.tif 000003
【００４２】
この表１の結果から、手のひらバンドにより、骨盤及び股関節の矯正効果が得られていることが確認された。この矯正効果により、体の柔軟性も向上し得る。バンド対を装着した後の状態で直ぐに効果が確認されている。このバンド対は、即効性にも優れている。
【００４３】
［実験２］
図４のバンドが用意された。１９人の被験者について、バランス及び柔軟性が測定された。この被験者は実験１の被験者と異なっている。被験者は、２９歳から６７歳までの男性７人と２６歳から６７歳までの女性１２人とである。被験者は、通常の状態（左右両手に何もしない状態）と、左右両手に図４のバンドを装着した後の状態とで、この測定が実施された。
【００４４】
実験１と同様に、「片足立ち」、「股関節内旋回」及び「股関節外旋回」が確認された。更に、「立位体前屈」が測定された。「立位体前屈」では、膝を伸ばして立った状態で前屈をして、手の指先の位置が測定された。その結果が表２に示されている。
【００４５】
【表２】
0003162952.tif 000004
【００４６】
この表２に示されるように、バンドにより、骨盤及び股関節の矯正効果が得られていることが確認された。立位体前屈では、１９人のうち１２人の被験者おいて測定値が向上した。装着前に比べ装着後の測定値は、１９人での平均で５６ｍｍ向上した。なお、この測定値が向上しなかった被験者は、元来、体の柔らかい被験者であった。このバンドの装着により、立位体前屈の測定値が悪化する被験者は確認されなかった。
【００４７】
この表２に示されるように、バンドを装着した後の状態で、被験者は体の柔軟性が向上している。これは、骨盤及び股関節が矯正されることにより、前屈等が従来より無理なく出来るようになったことを示している。この結果から、本考案の優位性は明らかである。
【産業上の利用可能性】
【００４８】
この手のひらバンドは、骨盤及び股関節の矯正に使用される。更に、手のひらバンドは、装着者の柔軟性を向上させる。手のひらバンドは、被介護者に使用することで、被介護者が動き易くなる。介護者の介護が容易になる。この手のひらバンドは、介護にも使用され得る。また、柔軟性が向上することから、体操、陸上競技等各種のスポーツトレーニングにも使用され得る。
【符号の説明】
【００４９】
２・・・バンド対
４・・・第一バンド
６・・・第二バンド
８・・・本体
１０・・・本体
１２、２６・・・バンド
１４、２８・・・本体
１６・・・面ファスナー
１８・・・フックテープ
２０・・・ループテープ
２２、３４・・・第一バンド部
２４、３６・・・第二バンド部
３０・・・一方端部
３２・・・他方端部
【図１】
0003162952.tif 000005
【図２】
0003162952.tif 000006
【図３】
0003162952.tif 000007
【図４】
0003162952.tif 000008
【図５】
0003162952.tif 000009
【図６】
0003162952.tif 000010